(57)【要約】【課題】  回転型カメラレンズハウジングを備える携帯用端末機を提供する。【解決手段】  携帯用端末機は、第１ハウジングと、第２ハウジングと、第１及び第２ハウジングを回転可能に連結するヒンジハウジングと、ヒンジハウジングの内部に収容された回転型カメラレンズハウジングと、ヒンジハウジングに形成され、収容されたカメラレンズハウジングの回転によってカメラレンズを少なくとも２回以上露出させる開放手段と、から構成される。【選択図】  図５
2004320742.tif 000002
【特許請求の範囲】
【請求項１】
携帯用端末機において、
第１ハウジングと、
第２ハウジングと、
前記第１及び第２ハウジングを回転可能に連結するヒンジハウジングと、
前記ヒンジハウジングの内部に収容された回転型カメラレンズハウジングと、
前記ヒンジハウジングに形成され、前記収容されたカメラレンズハウジングの回転によってカメラレンズを少なくとも２回以上露出させる開放手段と、
から構成されることを特徴とする携帯用端末機。
【請求項２】
前記開放手段は、前記ヒンジハウジングの側面に形成された第１開口、前記ヒンジハウジングの外周面に提供された第２開口、及び前記第２開口と離隔した個所に形成された第３開口から構成される請求項１に記載の携帯用端末機。
【請求項３】
前記第１開口は、前記第２及び第３開口より大きいサイズを有し、前記回転型カメラレンズハウジングの一部が露出されるほどのサイズで開放され、前記第２及び第３開口は、同一の形状で開放される請求項２に記載の携帯用端末機。
【請求項４】
前記回転型レンズハウジングの回転角度を受動で調節するための手段をさらに備える請求項１に記載の携帯用端末機。
【請求項５】
前記調節手段は、前記第１ハウジングの底面のエッジに形成され、前記カメラレンズヒンジハウジングに近接して装着される請求項４に記載の携帯用端末機。
【請求項６】
前記調節手段は、
前記第１ハウジングのエッジにおいて受動で操作できるように一部が突出されて位置し、前記回転型レンズハウジングのヒンジ軸と平行な方向に離隔された他のヒンジ軸を中心に回転可能に提供された調節ギアと、前記カメラレンズヒンジハウジング内に装着されて前記調節ギアの回転を前記カメラレンズハウジングに提供する少なくとも１つ以上のギアから構成される請求項４に記載の携帯用端末機。
【請求項７】
前記回転型カメラレンズハウジングは、球形に構成される請求項１に記載の携帯用端末機。
【請求項８】
前記第１ハウジングは、上面に複数のキーが配列されたキーアレイ、前記キーアレイに近接するマイク装置、及び下面に装着されたバッテリパックから構成される請求項１に記載の携帯用端末機。
【請求項９】
前記第２ハウジングは、上面に装着された補助表示装置、下面に装着された主表示装置、及び前記主表示装置に近接するスピーカ装置から構成される請求項１に記載の携帯用端末機。
【請求項１０】
前記ヒンジハウジングは、前記第１ハウジングに一体形に形成された一対のサイドヒンジアーム、前記第２ハウジングに一体形に形成されて前記一対のサイドヒンジアーム間に結合されるセンタヒンジアーム、及び前記一対のサイドヒンジアームのヒンジ軸方向に形成されたカメラレンズヒンジアームから構成される請求項１に記載の携帯用端末機。
【請求項１１】
前記回転型カメラレンズハウジングは、前記カメラレンズヒンジハウジングの内部に所定の回転軸を中心に所定の第１角度以内で回転可能に収容される請求項１０に記載の携帯用端末機。
【請求項１２】
前記所定の第１角度は、１８０°以内である請求項１１に記載の携帯用端末機。
【請求項１３】
携帯用端末機において、
第１ハウジングと、
前記第１ハウジングに対面した状態で第１ヒンジ軸を中心に前記第１ハウジングに近くなるか遠くなる方向に回転し、前記第１ヒンジ軸と垂直方向になる第２ヒンジ軸を中心に横方向に回転する第２ハウジングと、
前記第１及び第２ハウジング間に提供されて前記第１ヒンジ軸の方向に延長されたヒンジハウジングと、
前記ヒンジハウジングの内部に回転可能に収容され、前記第１ヒンジ軸の垂直方向であり、同時に前記第２ヒンジ軸と離隔した第３ヒンジ軸を中心に回転可能に装着される回転型カメラレンズハウジングと、
前記ヒンジハウジングに形成され、前記収容されたカメラレンズハウジングの前記第３ヒンジ軸を中心にする回転によってカメラレンズを少なくとも２回以上露出させる開放手段と、
から構成される携帯用端末機。
【請求項１４】
前記開放手段は、前記ヒンジハウジングの第１ヒンジ軸の方向に開放された第１開口、前記ヒンジハウジングの外周面に前記第３ヒンジ軸から離隔して形成された第２開口、及び前記第３ヒンジ軸を中心に前記第２開口の反対側に形成された第３開口から構成される請求項１３に記載の携帯用端末機。
【請求項１５】
前記第２ハウジングが第１ハウジングに閉じた時、前記第２ヒンジ軸は第３ヒンジ軸に平行であり、前記第１ハウジングから前記第２ハウジングが完全に開いた時、前記第２ヒンジ軸が第３ヒンジ軸に対して傾斜方向になり、前記第１ハウジングから第２ハウジングが９０°開いた時、前記第２ヒンジ軸と第３ヒンジ軸は相互垂直方向である請求項１３に記載の携帯用端末機。
【請求項１６】
前記第２ヒンジ軸は、第１ヒンジ軸を中心に回転し、前記第１ヒンジ軸に対して垂直方向であり、
前記第３ヒンジ軸は、前記第２ヒンジ軸に対して平行であるか、垂直方向であるか、傾斜方向である請求項１３に記載の携帯用端末機。
【請求項１７】
前記第１ハウジングは、上面に複数のキーが配列されたキーアレイ、前記キーアレイに近接するマイク装置、及び下面に装着されたバッテリパックから構成される請求項１３に記載の携帯用端末機。
【請求項１８】
前記第２ハウジングは、上面に装着された補助表示装置、下面に装着された主表示装置、及び前記主表示装置に近接して装着されたスピーカ装置から構成される請求項１３に記載の携帯用端末機。
【請求項１９】
前記ヒンジハウジングは、前記第１ハウジングに一体形に形成された一対のサイドヒンジアーム、前記第２ハウジングに一体形に形成されて前記一対のサイドヒンジアーム間に結合されるセンタヒンジアーム、及び前記一対のサイドヒンジアームのヒンジ軸方向に形成され、前記第１及び第２ハウジング間に提供されたカメラレンズヒンジアームから構成される請求項１３に記載の携帯用端末機。
【請求項２０】
前記回転型カメラレンズハウジングは、所定の第１角度以内で回転可能に収容される請求項１３に記載の携帯用端末機。
【請求項２１】
前記所定の第１角度は、９０°ないし１８０°である請求項２０に記載の携帯用端末機。
【請求項２２】
前記第１開口は、前記第２及び第３開口より大きいサイズを有し、前記回転型カメラレンズハウジングの一部が露出されてタッチできるほどのサイズで開放され、前記第２及び第３開口は、同一な形状で開放される請求項１４に記載の携帯用端末機。
【請求項２３】
前記回転型カメラレンズハウジングは、球形に構成される請求項１３に記載の携帯用端末機。
【請求項２４】
前記回転型レンズハウジングの回転角度を受動で調節するための調節手段をさらに備える請求項１３に記載の携帯用端末機。
【請求項２５】
前記調節手段は、前記第１ハウジングの底面のエッジに形成され、前記カメラレンズヒンジハウジングに近接して装着される請求項２４に記載の携帯用端末機。
【請求項２６】
前記調節手段は、
前記第１ハウジングのエッジから一部が突出するように位置し、前記回転型レンズハウジングの第３ヒンジ軸に平行な方向に離隔した第４ヒンジ軸を中心に回転可能に提供された調節ギアと、
前記第１ハウジング内に装着されて前記調節ギアの回転を前記カメラレンズハウジングに提供する少なくとも１つ以上のギアと、から構成される請求項２４に記載の携帯用端末機。
【請求項２７】
携帯用端末機のカメラレンズアセンブリにおいて、
前記携帯用端末機の一側に備わり、長手方向に延長された第１ヒンジ軸及び前記第１ヒンジ軸の垂直方向に延長された第３ヒンジ軸を提供するシリンダー形状のカメラレンズヒンジアームと、
前記カメラレンズヒンジアーム内に収容され、前記第１ヒンジ軸及び前記第３ヒンジ軸それぞれに対して回転するカメラレンズハウジングと、
前記カメラレンズヒンジアームの一端に回転可能に結合され、前記カメラレンズハウジングを前記第１ヒンジ軸に対して回転させる第１調節ノブと、
前記カメラレンズヒンジアームの外周面に回転可能に結合され、前記カメラレンズハウジングを前記第３ヒンジ軸に対して回転させる第２調節ノブと、
を含むことを特徴とする携帯用端末機のカメラレンズアセンブリ。
【請求項２８】
前記第１調節ノブは、前記第１ヒンジ軸上に位置して前記第１ヒンジ軸に対して回転し、前記第２調節ノブは、前記第３ヒンジ軸上に位置して前記第３ヒンジ軸に対して回転する請求項２７に記載の携帯用端末機のカメラレンズアセンブリ。
【請求項２９】
前記第１調節ノブは、前記第１ヒンジ軸の方向に貫通する第１開口をさらに備える請求項２７に記載の携帯用端末機のカメラレンズアセンブリ。
【請求項３０】
前記カメラレンズヒンジアームは、外周面に相互近接して形成された一対の第２開口、及び前記第３ヒンジ軸を中心に前記第２開口の反対側に形成された第１開口をさらに備える請求項２７に記載の携帯用端末機のカメラレンズアセンブリ。
【請求項３１】
前記カメラレンズハウジングの外周面に円周方向に沿ってそれぞれ形成されて前記カメラレンズハウジングの回転軌跡を提供し、所定の位置で相互交差してその交差点が前記第１及び第３ヒンジ軸のそれぞれに対して対称になる一対のガイド溝と、
前記第１調節ノブの内側面から前記第１ヒンジ軸の方向に突出され、選択された１つの前記ガイド溝にはまる第１ガイド突起と、
前記第２調節ノブの内側面から前記第３ヒンジ軸の方向に突出され、選択された他の１つのガイド溝にはまる第２ガイド突起と、をさらに備える請求項２７に記載の携帯用端末機のカメラレンズアセンブリ。
【請求項３２】
前記カメラレンズヒンジアームの外周面に凹んで形成される安着溝と、
前記第２ガイド突起に相応するように前記安着溝上に形成され、前記第２ガイド突起を前記カメラレンズヒンジアームの内側に突出させる回転ホールと、をさらに備え、
前記第２調節ノブは、前記第３ヒンジ軸を中心に対称であり、前記回転ホールは、前記第３ヒンジ軸を中心に前記第２調節ノブが回転する方向に所定角度範囲内で形成される請求項３１に記載の携帯用端末機のカメラレンズアセンブリ。
【請求項３３】
前記第１ヒンジ軸から所定距離だけ離隔して前記カメラレンズハウジングの一側面から前記第１ヒンジ軸の方向に延長されるストッパー突起と、
前記カメラレンズヒンジアームの内側に固定され、前記カメラレンズハウジングに対面し、自体の弾性力によって前記カメラレンズハウジングに密着されるテンションプレートと、
前記ストッパー突起の回転軌跡に沿って前記テンションプレート上に形成される少なくとも１つのストッパーホールと、をさらに備える請求項２７に記載の携帯用端末機のカメラレンズハウジング。
【請求項３４】
携帯用端末機のカメラレンズアセンブリにおいて、
前記携帯用端末機の一側に備わり、長手方向に延長された第１ヒンジ軸及び前記第１ヒンジ軸の垂直方向に延長された第３ヒンジ軸を提供するシリンダー形状のカメラレンズヒンジアームと、
前記カメラレンズヒンジアーム内に前記第１ヒンジ軸に対して回動可能に結合される第１回動部材と、
前記第３ヒンジ軸に対して回動可能に前記第１回動部材に結合されるカメラレンズハウジングと、
前記カメラレンズハウジングを通じて前記第１回動部材とリンクされて前記第１ヒンジ軸方向に移動し、前記第１ヒンジ軸方向に移動することによって前記カメラレンズハウジングを前記第３ヒンジ軸方向に回転させる第２回動部材と、
を含むことを特徴とする携帯用端末機のカメラレンズアセンブリ。
【請求項３５】
前記第１回動部材から前記第１ヒンジ軸方向に延長される少なくとも１つの第１リンクアームと、
前記第２回動部材から前記第１ヒンジ軸方向に延長され、前記第１リンクアームと対向する少なくとも１つの第２リンクアームと、
前記カメラレンズハウジングに備わり、前記第１及び第２リンクアームの端部にそれぞれ回転可能に結合される少なくとも一対のリンク突起と、をさらに含む請求項３４記載の携帯用端末機のカメラレンズアセンブリ。
【請求項３６】
前記カメラレンズハウジングは、シリンダー形状であり、両端にそれぞれ一対の前記リンク突起が備わる請求項３５に記載の携帯用端末機のカメラレンズアセンブリ。
【請求項３７】
前記第１及び第２リンクアーム、及び前記第１及び第２リンクアームの端部にそれぞれ前記リンク突起に相応するように形成されるリンクホールをさらに含む請求項３５に記載の携帯用端末機のカメラレンズアセンブリ。
【請求項３８】
前記第２リンクアームの端部に形成されるリンクホールは、前記第１ヒンジ軸に対して垂直方向に延長される長孔形状である請求項３７に記載の携帯用端末機のカメラレンズアセンブリ。
【請求項３９】
前記第２回動部材は、前記第１ヒンジ軸方向に延長される露出用開口をさらに含む請求項３４に記載の携帯用端末機のカメラレンズアセンブリ。
【請求項４０】
前記第２回動部材の一端に結合され、前記第１回動部材、カメラレンズハウジング及び第２回動部材を前記第１ヒンジ軸に対して回転させるノブをさらに含む請求項３４に記載の携帯用端末機のカメラレンズアセンブリ。
【請求項４１】
前記カメラレンズヒンジアームは、外周面に相互近接して形成された一対の第２開口、及び前記第３ヒンジ軸を中心に前記第２開口の反対側に形成された第１開口をさらに備える請求項３４に記載の携帯用端末機のカメラレンズアセンブリ。
【請求項４２】
携帯用端末機において、
第１ハウジングと、
一方向に延長されたヒンジ軸に対して回転可能に前記第１ハウジングに連結された第２ハウジングと、
前記第１ハウジングと第２ハウジングを回転可能に連結するヒンジハウジングと、
前記ヒンジハウジング内部に収容された回転型カメラレンズハウジングと、を備え、
前記カメラレンズハウジングは、前記ヒンジハウジングの内部で回転することによって前記ヒンジ軸方向及び前記ヒンジ軸の垂直方向に撮影できることを特徴とする携帯用端末機。
【発明の詳細な説明】
【技術分野】
【０００１】
本発明は、音声通信または映像通信を遂行する携帯用端末機に関し、特に、回転型レンズハウジングを備えて被写体の撮影が容易になる携帯用端末機に関する。
【背景技術】
【０００２】
通常の概念の“携帯用端末機”とは、使用者が携帯して相手と無線通信を遂行する装置を意味する。この携帯用端末機は、携帯性を考慮して小型化及び軽量化され、より多様な機能を遂行する傾向になっている。特に、将来の携帯用端末機は、小型化、軽量化されて多機能及び多目的に使用され、多様なマルチメディア環境またはインターネット環境に適用できるように変更される。あわせて、携帯用端末機は、男女老少によって、全世界のどこでも通用できる電子装置であり、常に携帯する必須品として認識されている。
【０００３】
従来の携帯用端末機は、外見によって、バー型(bar-type)、フリップ型(flip-type) または折り畳み型(folder-type)の端末機に分類される。バー型端末機は、単一ハウジングがバー型で構成された端末機であり、フリップ型端末機は、バー型のハウジングにヒンジ装置によって回転可能のフリップを有する端末機であり、折り畳み型端末機は、単一のバー型ハウジングにヒンジ装置によってフォルダーが回転可能に連結されて折り畳む方式で構成された端末機である。
【０００４】
さらに、携帯用端末機は、身体着用位置または着用方式によって、ネックレス型(neck wearable-type)または腕時計型(wrist-type)に分類される。ネックレス型端末機は、糸を利用して端末機を首に着用する携帯方式であり、腕時計型端末機は、手首に端末機を着用する携帯方式である。
【０００５】
また、携帯用端末機は、開閉方式によって、回転型(rotation-type)またはスライド型(sliding-type)端末機に分類される。回転型端末機は、２つのハウジングが対向した状態で回転可能に連結されて開閉される端末機であり、スライド型端末機は、２つのハウジングが長手方向のスライディング移動によって開閉される端末機である。前述したように多様に分類された携帯用端末機は、当該分野において通常の知識を有する者であれば容易に理解することができる。
【０００６】
あわせて、従来の携帯用端末機は、音声通信機能以外に高速のデータの通信ができる構造に変換されている。つまり、消費者の欲求の増大に応じて、高速のデータを伝送する無線通信技術を利用してサービスを提供する。現在は、従来の携帯用端末機にカメラレンズが採用されて映像信号などの伝送が遂行されている。
【０００７】
一方、現在の携帯用端末機は、カメラレンズモジュールを外装型または内装型として備えて、相手との映像通話及び所望する被写体の撮影機能を遂行することができる。
【０００８】
しかしながら、従来の内装型カメラレンズモジュールを備える携帯用端末機は、２つ以上の方向に被写体をそれぞれ撮影するためには、２つ以上のカメラレンズモジュールが装着されるべきであった。従って、従来のカメラレンズモジュールを備える携帯用端末機は、製品原価の増加の原因になるという問題が発生した。
【発明の開示】
【発明が解決しようとする課題】
【０００９】
従って、本発明の目的は、３軸方向に開放されるようにカメラレンズを露出させる携帯用端末機を提供することにある。
【００１０】
本発明のまた他の目的は、１つのカメラレンズモジュールを利用することによって、原価節減に効果的な携帯用端末機を提供することにある。
【課題を解決するための手段】
【００１１】
このような目的を達成するための本発明による携帯用端末機は、第１ハウジングと、第２ハウジングと、前記第１及び第２ハウジングを回転可能に連結するヒンジハウジングと、前記ヒンジハウジングの内部に収容された回転型カメラレンズハウジングと、前記ヒンジハウジングに形成され、前記収容されたカメラレンズハウジングの回転によってカメラレンズを少なくとも２回以上露出させる開放手段と、から構成される。
【００１２】
本発明の他の実施形態による携帯用端末機は、第１ハウジングと、前記第１ハウジングに対面した状態で第１ヒンジ軸を中心に前記第１ハウジングに近くなるか遠くなる方向に回転し、前記第１ヒンジ軸と垂直方向になる第２ヒンジ軸を中心に横方向に回転する第２ハウジングと、前記第１及び第２ハウジング間に提供されて前記第１ヒンジ軸の方向に延長されたヒンジハウジングと、前記ヒンジハウジングの内部に回転可能に収容され、前記第１ヒンジ軸の垂直方向であり、同時に前記第２ヒンジ軸と離隔した第３ヒンジ軸を中心に回転可能に装着される回転型カメラレンズハウジングと、前記ヒンジハウジングに形成され、前記収容されたカメラレンズハウジングの前記第３ヒンジ軸を中心にする回転によってカメラレンズを少なくとも２回以上露出させる開放手段と、から構成される。
【００１３】
本発明の他の実施形態による携帯用端末機のカメラレンズアセンブリは、前記携帯用端末機の一側に備わり、長手方向に延長された第１ヒンジ軸及び前記第１ヒンジ軸の垂直方向に延長された第３ヒンジ軸を提供するシリンダー形状のカメラレンズヒンジアームと、前記カメラレンズヒンジアーム内に収容され、前記第１ヒンジ軸及び前記第３ヒンジ軸それぞれに対して回転するカメラレンズハウジングと、前記カメラレンズヒンジアームの一端に回転可能に結合され、前記カメラレンズハウジングを前記第１ヒンジ軸に対して回転させる第１調節ノブと、前記カメラレンズヒンジアームの外周面に回転可能に結合され、前記カメラレンズハウジングを前記第３ヒンジ軸に対して回転させる第２調節ノブと、を含む。
【００１４】
本発明の他の実施形態による携帯用端末機のカメラレンズアセンブリは、前記携帯用端末機の一側に備わり、長手方向に延長された第１ヒンジ軸及び前記第１ヒンジ軸の垂直方向に延長された第３ヒンジ軸を提供するシリンダー形状のカメラレンズヒンジアームと、前記カメラレンズヒンジアーム内に前記第１ヒンジ軸に対して回動可能に結合される第１回動部材と、前記第３ヒンジ軸に対して回動可能に前記第１回動部材に結合されるカメラレンズハウジングと、前記カメラレンズハウジングを通じて前記第１回動部材とリンクされて前記第１ヒンジ軸方向に移動し、前記第１ヒンジ軸方向に移動することによって前記カメラレンズハウジングを前記第３ヒンジ軸方向に回転させる第２回動部材と、を含む。
【００１５】
本発明の他の実施形態による携帯用端末機は、第１ハウジングと、一方向に延長されたヒンジ軸に対して回転可能に前記第１ハウジングに連結された第２ハウジングと、前記第１ハウジングと第２ハウジングを回転可能に連結するヒンジハウジングと、前記ヒンジハウジング内部に収容された回転型カメラレンズハウジングと、を備え、前記カメラレンズハウジングは、前記ヒンジハウジングの内部で回転することによって前記ヒンジ軸方向及び前記ヒンジ軸の垂直方向に撮影できる。
【発明の効果】
【００１６】
本発明による携帯用端末機は、１つのカメラレンズモジュールを利用して使用者の必要によって２つ以上の方向に撮影することができるので、使用が便利であり、原価低減に効果的である。
【発明を実施するための最良の形態】
【００１７】
以下、本発明の好適な一実施形態について添付図を参照しつつ詳細に説明する。下記の説明において、本発明の要旨のみを明確にする目的で、関連した公知機能又は構成に関する具体的な説明は省略する。
【００１８】
本発明は、折り畳み型端末機に限定される必要はなく、全ての携帯用端末機に採用することができることに注意すべきである。あわせて、本発明による携帯用端末機は、映像通話または被写体撮影に便利な携帯用端末機であることを注意すべきである。
【００１９】
図１ないし図５に示すように、本発明の好適な第１実施形態による携帯用端末機は、第１ハウジング１０、第１ハウジング１０から離れる方向及び第１ハウジング１０に対して横方向にそれぞれ回転可能に連結される第２ハウジング２０、第１及び第２ハウジング１０、２０を回転可能に連結するヒンジハウジング３０、ヒンジハウジング３０の一方向に一端に収容された回転型カメラレンズハウジング４０、及びカメラレンズハウジング４０に提供されてカメラレンズを少なくとも２回以上外部に露出させる開放手段から構成される。さらに、所定のヒンジ軸を中心に回転型カメラレンズハウジング４０の回転角度を受動で調節するための手段を備える。
【００２０】
具体的に、第２ハウジング２０は、第１ヒンジ軸Ａ１を中心に第１ハウジング１０から離れるか近接する方向に回転可能に第１ハウジング１０に連結される。第２ハウジング２０は、第１ヒンジ軸Ａ１と垂直方向になる第２ヒンジ軸Ａ２を中心に横方向に回転可能に連結される。さらに、ヒンジハウジング３０は、第１及び第２ハウジング１０、２０の第１及び第２ヒンジ軸Ａ１、Ａ２を備えるように円筒形に延長され、カメラレンズハウジング４０を内部に回転可能に収容する。また、カメラレンズハウジング４０は、第３ヒンジ軸Ａ３を中心にヒンジハウジング３０に回転可能に提供される。
【００２１】
以下、図１ないし図４を参照して第１、第２、第３ヒンジ軸Ａ１、Ａ２、Ａ３の相互関係を説明する。図１に示すように、第１ハウジング１０に第２ハウジング２０が閉じた状態で、第２ヒンジ軸Ａ２と第３ヒンジ軸Ａ３は相互離隔した状態で平行であり、第２及び第３ヒンジ軸Ａ２、Ａ３は、第１ヒンジ軸Ａ１と垂直である。図２に示すように、第１ハウジング１０から第２ハウジング２０が完全に開いた状態で、第２ヒンジ軸Ａ２は第３ヒンジ軸Ａ３に対して傾斜している。図３に示すように、第１ハウジング１０から第２ハウジング２０が９０°開いた時、第２ヒンジ軸Ａ２と第３ヒンジ軸Ａ３は、相互離隔した状態で、垂直方向であり、第２ヒンジ軸Ａ２は、第１ヒンジ軸Ａ１に対しても垂直方向である。図４に示す状態は、図１に示す第１、第２、第３ヒンジ軸Ａ１、Ａ２、Ａ３の関係と同一である。
【００２２】
以下、第１及び第２ハウジング１０、２０、ヒンジハウジング３０及びカメラレンズハウジング４０の構成に関して説明する。
【００２３】
図２及び図５に示すように、第１ハウジング１０は、上面１０ａに複数のキーの配列からなるキーアレイ１１及びキーアレイ１１に近接したマイク装置１２が配置され、下面１０ｂにバッテリパック１４が着脱可能に備わる。
【００２４】
図２及び図４に示すように、第２ハウジング２０は、上面２０ａに補助表示装置２３が装着され、下面２０ｂに主表示装置２２が装着され、主表示装置２２に近接してスピーカ装置２１が配置される。さらに、第２ハウジング２０とヒンジハウジング３０との間に補助フレーム２５が備わる。第２ハウジング２０は、補助フレーム２５に第２ヒンジ軸Ａ２を中心に回転可能に連結される。補助フレーム２５は、第１ヒンジ軸Ａ１方向と同一の方向に延長された形状である。
【００２５】
図１及び図４に示すように、ヒンジハウジング３０は、第１ハウジング１０に一体形に連結された一対のサイドヒンジアーム３１、３２と、第２ハウジング２０、具体的に補助フレーム２５と一体形にサイドヒンジアーム３１、３２間に結合されるセンタヒンジアーム３３と、サイドヒンジアーム３２の一側にカメラレンズハウジング４０を収容するカメラレンズヒンジアーム３４とから構成される。この時、センタヒンジアーム３３及び補助フレーム２５には、第１及び第２ヒンジ軸Ａ１、Ａ２を中心に第２ハウジング２０をそれぞれ回転可能にするヒンジモジュール(図示せず)が装着される。第２ハウジングは、第１及び第２ヒンジ軸Ａ１、Ａ２それぞれに対して回転するので、図６に示すように、第２ハウジング２０が第１ハウジング１０に密着した状態で主表示装置２２を外部に露出させることができる。
【００２６】
カメラレンズヒンジアーム３４は、カメラレンズハウジング４０に提供されたカメラレンズ４１(図７に示す)を外部に開放させるための開放手段を備える。開放手段は、カメラレンズヒンジハウジング３４に形成された第１、第２、第３開口３５、３６、３７から構成される。第１開口３５は、カメラレンズヒンジハウジングの側面３４ａ、つまり、第１ヒンジ軸Ａ１方向に向かう面に開放され、第２開口３６は、第２ハウジング２０が第１ハウジング１０に閉じた場合(図１のような状態)、使用者と対面する方向に開放され、第３開口３７は、第３ヒンジ軸Ａ３を中心に第２開口３６の反対側に位置して開放される。第２及び第３開口３６、３７は、カメラレンズヒンジハウジング３４の外周面に形成される。
【００２７】
第１開口３５の直径のサイズは、第２及び第３開口３６、３７より大きく、第２及び第３開口３６、３７は、第３ヒンジ軸Ａ３を中心に離隔して位置し、同一の形状で開放され、第３ヒンジ軸Ａ３を中心に対称で構成される。
【００２８】
カメラレンズハウジング４０は、円筒形または球形で構成することができる。図面には、カメラレンズハウジング４０が球形に構成されることを示す。カメラレンズハウジング４０は、第３ヒンジ軸Ａ３を中心に回転可能に装着され、外周面にカメラレンズ４１が露出される。さらに、カメラレンズハウジング４０の外周面は、第１開口３５に一部露出された状態で装着され、第３ヒンジ軸Ａ３の回転によってカメラレンズ４１を第１、第２、第３開口３５、３６、３７のうち、選択されたいずれか１つの開口に位置させることができる。
【００２９】
望ましくは、カメラレンズハウジング４０は、所定の第１角度内で第３ヒンジ軸Ａ３を中心に回転する。第１所定の角度は、１８０°またはそれ以下の角度にすることができるが、図面には、第１所定の角度が１８０°であることを示す。しかしながら、第２及び第３開口３６、３７の位置が変更される場合、所定の第１角度も変更することができる。
【００３０】
図７を参照して本発明による回転型カメラレンズハウジング４０を受動で調節するための調節手段５０の構成に関して説明する。図７に示すように、調節手段５０は、第１ハウジングの底面のエッジ１０ｃに形成され、具体的にカメラレンズヒンジハウジング３４に近接して装着される。
【００３１】
調節手段５０は、第１ハウジング１０の底面のエッジ１０ｃに形成された貫通ホールからその一部が突出するように位置する調節ギア５１、及び調節ギア５１の回転動力を回転型カメラレンズハウジング４０に伝達する少なくとも１つのギア５２、４２から構成される。調節ギア５１は、第４ヒンジ軸Ａ４を中心に受動で使用者の操作によって回転する。この時、第３ヒンジ軸Ａ３及び第４ヒンジ軸Ａ４は離隔した状態で平行である。
【００３２】
調節ギア５１は、一部が底面から突出するように位置し、残りの部分は、第１ハウジング１０内に収容され、調節ギア５１の回転軸Ｓ１の端部には第２ギア５２が提供される。さらに、回転型レンズハウジング４０は、第３ヒンジ軸Ａ３方向に回転軸Ｓ２がそれぞれ延長され、回転軸Ｓ２の端に第３ギア４２が提供される。第２ギア５２と第３ギア４２はかみ合って装着され、調節ギア５１の回転によって第２ギア５２が回転し、同時に第３ギア４２が回転することによって、回転型レンズハウジング４０が回転動作を遂行する。回転型レンズハウジング４０の回転によってカメラレンズ４１は、第１、第２、第３開口３５、３６、３７のうち選択されたいずれか１つの開口と同軸に位置して被写体撮影を遂行する。
【００３３】
カメラレンズハウジング４０内にはＣＣＤ(Charged Coupled Device)素子(図示せず)が装着され、軟性プリント回路基板(Flexible Printed Circuit Board: ＦＰＣＢ)によって第１ハウジング１０のメインボード(図示せず)に連結される。ＦＰＣＢは、貫通用開口３８を通じてサイドヒンジアーム３２を経由して第１ハウジング１０に向ける。
【００３４】
図８ないし図１２を参照すると、本発明の好適な第２実施形態による携帯用端末機１００は、第１ハウジング１０１、第１ハウジング１０１から離れる方向及び横方向にそれぞれ回転可能に連結される第２ハウジング１０２、及び端末機１００の一側に備わるカメラレンズアセンブリ２００を備える。カメラレンズアセンブリ２００は、回転型カメラレンズハウジング２０２(図１３に示す)、端末機１００の一側、具体的に第１ハウジング１０１の上部一側に備わって回転型カメラレンズハウジング２０２を収容するカメラレンズヒンジアーム２０１、及びカメラレンズヒンジアーム２０１に提供されてカメラレンズハウジング２０２を少なくとも２回以上外部に露出される開放手段２３５、２１３、２１７から構成される。さらに、カメラレンズアセンブリ２００は、使用者の操作によってカメラレンズハウジング２０２の回転角度を所定のヒンジ軸を中心に調節するための調節手段２０３、２０４を備える。
【００３５】
第１ハウジング１０１は、上面に複数のキーから構成されたキーアレイ１１１が設置され、一側面に２方向(two-way)キー１１３が備わる。２方向キー１１３は、通話モードまたは通話待機モードにおいてメニュ選択または音量調節のために利用することができる。さらに、２方向キー１１３は、写真または動映像の撮影時、ズームイン (zoom-in)／ズームアウト(zoom-out)機能を提供することができる。第１ハウジング１０１の上端には所定距離だけ離隔して対向して形成された一対のサイドヒンジアーム１１５が備わり、カメラレンズヒンジアーム２０１は、サイドヒンジアーム１１５の一側から延長される。
【００３６】
第２ハウジング１０２は、上面に補助表示装置１２５が設置され、下面に主表示装置１２１が設置され、主表示装置１２１の一側にスピーカ装置１２３が設置される。第２ハウジング１０２は、第１ハウジング１０１に対面した状態で、離れるか近接する方向に回転可能に結合され、同時に第１ハウジング１０１に対して横方向に回転可能に結合される。第２ハウジング１０２は、所定の連結部材１０３を通じて第１ハウジング１０１と結合される。
【００３７】
連結部材１０３は、第１ハウジング１０１のサイドヒンジアーム１１５間に結合されるセンタヒンジアーム１３１を備えて第１ハウジング１０１の横方向に延長された第１ヒンジ軸Ａ１に対して回転し、センタヒンジアーム１３１の一側に補助フレーム１３３を備えて第１ヒンジ軸Ａ１に対して垂直方向に延長される第２ヒンジ軸Ａ２を提供する。第２ハウジング１０２は、一端部が補助フレーム１３３に結合されて第２ヒンジ軸Ａ２に対して回転する。
【００３８】
カメラレンズヒンジアーム２０１は、サイドヒンジアーム１１５の一側から第１ヒンジ軸Ａ１方向に延長され、内部に回転型カメラレンズハウジング２０２が収容される。カメラレンズハウジング２０２は、カメラレンズヒンジアーム２０１の内部で第１ヒンジ軸Ａ１に対して回転可能であり、同時に第１ヒンジ軸Ａ１に対して垂直方向に延長される第３ヒンジ軸Ａ３に対して回転可能である。カメラレンズヒンジアーム２０１は、カメラレンズハウジング２０２の回転角度を調節するための調節手段２０３、２０４を備える。調節手段２０３、２０４は、カメラレンズヒンジアーム２０１に回転可能に結合される。調節手段２０３は、カメラレンズハウジング２０２を第１ヒンジ軸Ａ１に対して回転させる第１調節ノブ(knob)であり、調節手段２０４は、カメラレンズヒンジアーム２０１の外周面の所定位置に回転可能に結合され、カメラレンズハウジング２０２を第３ヒンジ軸Ａ３に対して回転させる第２調節ノブである。
【００３９】
開放手段２３５、２１３、２１７は、カメラレンズヒンジアーム２０１の側方向にカメラレンズハウジング２０２を露出させる第１開口２３５(図１３に示す)、端末機１００の前面方向にカメラレンズハウジング２０２を露出させる第２開口２１３、及び端末機２００の後面方向にカメラレンズハウジング２０２を露出させる第３開口２１７を含む。つまり、カメラレンズハウジング２０２は、カメラレンズヒンジアーム２０１内で第１及び第３ヒンジ軸Ａ３それぞれに対して回転するので、第１及び第２、第３開口２３５、２１３、２１７を通じて写真または動映像を撮影することができる。一方、第２開口２１３は、第２ハウジング１０２の開放された角度によって使用者が撮影角度を選択することができるように一対で構成される。
【００４０】
図９及び図１０は、第２ハウジング１０２が第１ハウジング１０１から離れる方向に回転して完全に開いた状態を示す斜視図である。第２ハウジング１０２が第１ハウジング１０１から完全に開いた状態で、主表示装置１２１は、端末機１００の前面に向かう。この時、使用者が写真または動映像を撮影しようとする場合、使用者はカメラレンズハウジング２０２を第２開口２１３または第３開口２１７を通じて露出されるように回転させる。
【００４１】
図１１及び図１２は、第２ハウジング１０２が第１ハウジング１０１から所定角度だけ開いた状態で、横方向に回転した状態を示す斜視図である。第２ハウジング１０２は、第１ハウジング１０１から所定角度、具体的には９０°に近接する角度以上開いた場合、第２ヒンジ軸Ａ２に対して回転可能になるので、主表示装置１２１は、端末機１００の両側方向のうち選択された一方向に位置することができる。この時、使用者が写真または動映像を撮影しようとする場合、使用者は、カメラレンズハウジング２０２を第１開口２３５を通じて露出されるように回転させる。カメラレンズハウジング２０２が第１開口２３５を通じて露出され、主表示装置１２１が図１１に示すように位置した状態で、使用者はカムコーダーと同一の方式で端末機１００を操作することができる。
【００４２】
一方、以上の実施形態における端末機と同様に、端末機１００の第２ハウジング１０２は、第１及び第２ヒンジ軸Ａ１、Ａ２それぞれを中心に回転可能であるので、第２ハウジング１０２が第１ハウジング１０１に密着した状態で主表示装置１２１を外部に露出させることができる。
【００４３】
図１３ないし図１５は、図８に示す携帯用端末機１００のカメラレンズアセンブリ２００を示す図である。カメラレンズアセンブリ２００は、カメラレンズヒンジアーム２０１、回転型カメラレンズハウジング２０２、第１及び第２調節ノブ２０３、２０４、及び開放手段２３５、２１３、２１７を備える。
【００４４】
カメラレンズヒンジアーム２０１は、第１ハウジング１０１の一側サイドヒンジアーム１１５と一体形で形成され、端末機１００の側方向に開放された収容空間２１１を提供する。カメラレンズヒンジアーム２０１の収容空間２１１にはカメラレンズハウジング２０２が収容される。カメラレンズハウジング２０２は、収容空間２１１内で、第１ヒンジ軸Ａ１及び第１ヒンジ軸Ａ１に垂直方向に延長された第３ヒンジ軸Ａ３それぞれに対して回転可能に設置される。カメラレンズヒンジアーム２０１の開放された側端部は、第１調節ノブ２０３によって閉じられる。第１調節ノブ２０３は、第１ヒンジ軸Ａ１に対して回転し、カメラレンズハウジング２０２を第１ヒンジ軸Ａ１に対して回転させる。第２調節ノブ２０４は、カメラレンズハウジング２０２の外周面の所定位置、具体的には第３ヒンジ軸Ａ３上に回転可能に設置される。第２調節ノブ２０４は、第３ヒンジ軸Ａ３に対して回転し、カメラレンズハウジング２０２を第３ヒンジ軸Ａ３に対して回転させる。
【００４５】
一方、一対のガイド溝２２３が、カメラレンズハウジング２０２の外周面に円周方向に形成されてカメラレンズハウジング２０２の回転軌跡を提供する。ガイド溝２２３は、所定位置で相互交差し、交差点(図示せず)が第１及び第３ヒンジ軸Ａ１、Ａ３それぞれに対して対称に位置する。ガイド溝２２３は、前記交差点で相互垂直に交差させられることが望ましい。第１及び第２調節ノブ２０３、２０４には、それぞれガイド溝２２３に相応するガイド突起２３３、２４３が備わる。
【００４６】
第１調節ノブ２０３は、カメラレンズハウジング２０２と対面する内側面に直径方向に延長されて第１ヒンジ軸Ａ１方向に突出され、選択された１つのガイド溝２２３にかみ合うガイド突起２３３、及び外周面に複数の突起２３１を備える。第２調節ノブ２０４は、カメラレンズヒンジアーム２０１の外周面に設置され、その内側面がカメラレンズハウジング２０２と対面する。第２調節ノブ２０４の内側面には、直径方向に延長されて第３ヒンジ軸Ａ３方向に突出され、選択された他の１つのガイド溝２２３にかみ合う第２ガイド突起２４３が備わる。
【００４７】
第１及び第２調節ノブ２０３、２０４にそれぞれ形成されるガイド突起２３３、２４３は、ガイド溝２２３とかみ合って、使用者が第１または第２調節ノブ２０３、２０４を回転させると、その回転力によってカメラレンズハウジング２０２を回転させる。さらに、第１または第２ガイド突起２３３、２４３は、カメラレンズハウジング２０２の回転をガイドする。
【００４８】
例えば、使用者が第１調節ノブ２０３を回転させると、第１ガイド突起２３３は、ガイド溝２２３にかみ合ってカメラレンズハウジング２０２を第１ヒンジ軸Ａ１に対して回転させる。この時、第２ガイド突起２４３は、ガイド溝２２３が第２ガイド突起２４３にかみ合っているので、カメラレンズハウジング２０２の回転をガイドする。
【００４９】
第２調節ノブ２０４を設置するために、カメラレンズヒンジアーム２０１の外周面には所定に深さで凹んでいる安着溝２１５ａが形成され、安着溝２１５ａには、第２調節ノブ２０４の第２ガイド突起２４３を収容空間２１１内に位置させるための回転ホール２１５ｂが形成される。安着溝２１５ａは、中心が第３ヒンジ軸Ａ３上に位置し、回転ホール２１５ｂは、第３ヒンジ軸Ａ３を中心に回転する方向に所定角度範囲で形成することができる。つまり、回転ホール２１５ｂは、第２調節ノブ２０４の回転範囲を制限することができる。
【００５０】
開放手段２３５、２１３、２１７は、カメラレンズハウジング２０１に収容されたカメラレンズ２２１を撮影方向に露出させるための手段であり、第１ヒンジ軸Ａ１方向に向かって形成された第１開口２３５、端末機１００の前面に向かって形成された第２開口２１３、及び端末機１００の後面に向かって形成された第３開口２１７を含む。第１開口２３５は、第１ヒンジ軸Ａ１方向に延長されて第１調節ノブ２０３を貫通して形成される。第２開口２１３は、カメラレンズヒンジアーム２０１の外周面上に所定間隔で形成された一対の貫通ホールから構成することができる。第３開口２１７は、カメラレンズヒンジアーム２０１の外周面上で第２開口２１３と対称になる位置に形成される。つまり、第２開口２１３及び第３開口２１７は、カメラレンズヒンジアーム２０１上で第１及び第３ヒンジ軸Ａ１、Ａ２それぞれに対して対称である位置に形成される。第２開口２１３は、カメラレンズヒンジアーム２０１の円周方向に沿って相互隣接して配置された一対の貫通ホールから構成される。第２開口２１３が一対の貫通ホールを備えることによって、使用者が端末機１００を利用して自分を撮影しようとする時、より多様な角度で撮影することができる。第１、第２、第３開口２３５、２１３、２１７は、それぞれ透明な材質のアクリルまたはガラスなどで製造されたカバー２９１、２９３、２９５によって密閉されることが望ましい。
【００５１】
一方、回転の後、カメラレンズハウジング２０２の動きを防止するために、カメラレンズヒンジアーム２０１内にテンションプレート２０５が固定される。テンションプレート２０５は、自体に蓄積される弾性力によってカメラレンズハウジング２０２の一側面に密着させられて摩擦力を提供することによって、カメラレンズハウジング２０２の動きを防止することができる。さらに、テンションプレート２０５に対面するカメラレンズハウジング２０２の一側面にストッパー突起２２５を形成し、ストッパー突起２２５の回転軌跡に沿ってテンションプレート２０５に所定間隔でストッパーホール２５１を形成することによって、カメラレンズハウジング２０２の回転を一定間隔で停止させることができる。一方、ストッパー突起２２５をテンションプレート２０５に形成し、それに相応するストッパーホール２５１をカメラレンズハウジング２０２の外周面に所定間隔で形成することができる。
【００５２】
このように構成されたカメラレンズアセンブリ２００は、カメラレンズハウジング２０２がカメラレンズヒンジアーム２０１内で２つのヒンジ軸Ａ１、Ａ３それぞれに対して回転可能に構成される。従って、多様な方向への撮影が可能になるだけでなく、端末機１００の主表示装置１２１を端末機１００の側方向に向かうようにしてカムコーダーと同様な方式で撮影することが可能になる。
【００５３】
図１６ないし図１９は、図８に示す携帯用端末機１００に設置される本発明の他の実施形態によるカメラレンズアセンブリ３００を示す。図１６ないし図１９に示すように、端末機１００に設置される他の実施形態によるカメラレンズアセンブリ３００は、カメラレンズヒンジアーム３０１、第１及び第２回動部材３０４、３０５、カメラレンズハウジング３０２及び調節ノブ３０３を備える。
【００５４】
カメラレンズヒンジアーム３０１は、一側サイドヒンジアーム１１５から第１ヒンジ軸Ａ１方向に延長され、側端部が開放された収容空間３１１を提供する。カメラレンズヒンジアーム３０１の外周面には、一対の貫通ホールから構成された第２開口３１３、及び第１及び第３ヒンジ軸Ａ１、Ａ３を中心に第２開口３１３に対称になる位置に形成される第３開口(図示せず)を備える。このカメラレンズヒンジアーム３０１の開放手段は、先行の実施形態によって容易に理解される。
【００５５】
第１回動部材３０４は、カメラレンズヒンジアーム３０１内で第１ヒンジ軸Ａ１に対して回転可能に収容される。第１回動部材３０４の一面には第１ヒンジ軸Ａ１方向に延長される少なくとも１つの第１リンクアーム３４１が備わる。第１リンクアーム３４１の端部にそれぞれリンクホール３４３が形成される。
【００５６】
第２回動部材３０５は、カメラレンズヒンジアーム３０１内で第１ヒンジ軸Ａ１に対して回転可能に収容され、第１回動部材３０４にリンク結合されて第１ヒンジ軸Ａ１方向に直線往復運動ができる。第２回動部材３０４の一面には、第１ヒンジ軸Ａ１方向に延長されて第１リンクアーム３４１に対面する少なくとも１つの第２リンクアーム３５１が備わる。第２リンクアーム３５１の端部には、それぞれリンクホール３５３が形成される。この時、リンクホール３４３またはリンクホール３５３のいずれか１つは、第２回動部材３０５の直線運動方向、つまり、第１ヒンジ軸Ａ１方向の垂直方向に延長された長孔形状であるべきである。図１７を参照すると、本実施形態において、第２リンクアーム３５１に形成されたリンクホール３５３が長孔形状で形成されている。第２回動部材３０５は、カメラレンズハウジング３０２のカメラレンズ３２１を露出させるために、一端部及び外周面の所定位置にそれぞれ形成された露出用ホール３５５、３５７を備える。
【００５７】
第２回動部材３０５の外周面には、ガイド傾斜部３５４ａ、３５４ｂが形成される。ガイド傾斜部３５４ａ、３５４ｂの一側は、第２回動部材３０５の端部まで急傾斜３５４ａで延長され、他側は、第２回動部材３０５の端部まで緩傾斜３５４ｂで延長される。詳細に後述するが、ガイド傾斜部３５４ａ、３５４ｂは、第１及び第２回動部材３０４、３０５の回転範囲を制限すること、または、第１及び第２回動部材３０４、３０５がカメラレンズヒンジアーム３０１から離脱することを防止する。
【００５８】
カメラレンズハウジング３０２は、第３ヒンジ軸Ａ３方向に延長されたシリンダー形状である。カメラレンズハウジング３０２は、外周面の所定位置にカメラレンズ３２１を備え、両端部にそれぞれ一対のリンク突起３２３を備える。リンク突起３２３は、第１及び第２リンクアーム３４１、３５１にそれぞれ形成されたリンクホール３４３、３５３に選択的に結合される。つまり、カメラレンズハウジング３０２によって第１回動部材３０４と第２回動部材３０５がリンク結合され、リンク結合の安定性を向上させるために、第１及び第２リンクアーム３４１、３５１は一対で形成されることが望ましい。
【００５９】
このようなリンク結合が構成されることによって、第２回動部材３０５が第１ヒンジ軸Ａ１方向に直線運動すると、カメラレンズハウジング３０２が第３ヒンジ軸Ａ３に対して回転する。図１８及び図１９を参照すると、第１回動部材３０４と第２回動部材３０５が最大限に密着した状態で、カメラレンズハウジング３０２のカメラレンズ３２１は、第２回動部材３０５の外周面に形成されたホール３５５を通じて露出される。第２回動部材３０５が矢印“ａ”方向に移動すると、カメラレンズ３２１は、第２回動部材３０５の端部に形成されたホール３５７を通じて露出される。つまり、第２回動部材３０５が第１ヒンジ軸Ａ１方向に直線運動することによって、カメラレンズハウジング３０２は、第３ヒンジ軸Ａ３に対して回転する。さらに、第２リンクアーム３５１のリンクホール３５３は、長孔形状で形成され、カメラレンズハウジング３０２の回転によってリンク突起３２３の位置が変更されても長孔形状のリンクホール３５３によって移動空間が提供される。
【００６０】
第２回動部材３０５の端部面には調節ノブ３０３が結合される結合突起３５９が少なくとも１つ備わる。
【００６１】
調節ノブ３０３は、第２回動部材３０５の端部に結合され、第１ヒンジ軸Ａ１方向に貫通する第１開口３３５及び外周面に複数の突起３３１を備える。カメラレンズハウジング３０２が図１９に示すように位置した場合、第１開口３３５は、カメラレンズ３２１の露出のために使用される。つまり、カメラレンズハウジング３０２は、第１、第２、第３開口３３５、３１３のうち使用者の選択によって１つの開口を通じて撮影することができる。第１、第２、第３開口３３５、３１３は、それぞれ透明な材質のアクリルまたはガラスなどで製造されたカバー３９１、３９３、３９５によって密閉されることが望ましい。
【００６２】
第１及び第２回動部材３０４、３０５、カメラレンズハウジング３０２などが前記カメラレンズヒンジアーム３０１から離脱することを防止するために、カメラレンズヒンジアーム３０１の端部にガイドリング３９７が固定される。ガイドリング３９７は、内周面から突出されるガイドリブ３９７ａを有する。ガイドリブ３９７ａは、第２回動部材３０５の外周面に形成されたガイド傾斜面３５４ａ、３５４ｂに相応して形成される。
【００６３】
図１９に示すように、第２回動部材３０５が第１ヒンジ軸Ａ１方向に直線運動する時、ガイドリブ３９７ａは、第２回動部材３０５が過度に移動することを制限する。さらに、第２回動部材３０５が回転すると、ガイドリブ３９７ａは、ガイド傾斜部３５４ａ、３５４ｂの緩傾斜面３５４ｂに沿って移動しながら、第２回動部材３０５を第１回動部材３０４に近接する方向に移動させる。
【００６４】
さらに、カメラレンズヒンジアーム３０１の内部にコイルスプリング３９９が収容されて第１回動部材３０４の外側には弾性力を提供することによって、第１及び第２回動部材３０４、３０５及びカメラレンズハウジング３０２が第１ヒンジ軸Ａ１に対して円滑に回転させられる。
【００６５】
本実施形態のカメラレンズアセンブリ３００において、第２回動部材３０５が第１ヒンジ軸Ａ１方向に直線運動することによって、カメラレンズハウジング３０２は第１開口３３５または第２開口３１３に向かう。さらに、調節ノブ３０３を第１回転軸Ａ１に対して回転させると、カメラレンズハウジング３０２は、第２開口３１３または第３開口に向かう。この時、カメラレンズハウジング３０２が第１開口３３５に向かう状態で調節ノブ３０３を回転させると、ガイドリブ３９７ａ及びガイド傾斜部３５４ａ、３５４ｂの傾斜面３５４ｂによって、カメラレンズ３２１は第３開口に向かうようになる。
【００６６】
以上、本発明を具体的な一実施形態を参照して詳細に説明してきたが、本発明の範囲は前述の一実施形態によって限られるべきではなく、本発明の範囲内で様々な変形が可能であるということは、当該技術分野における通常の知識を持つ者には明らかである
【図面の簡単な説明】
【００６７】
【図１】本発明の好適な第１実施形態による携帯用端末機の第２ハウジングが第１ハウジングに閉じた状態を示す斜視図である。
【図２】図１に示す携帯用端末機の第２ハウジングが第１ヒンジ軸を中心に第１ハウジングから完全に開いた状態を示す斜視図である。
【図３】図１に示す携帯用端末機の第２ハウジングが第２ヒンジ軸を中心に第１ハウジングに対して横方向に９０°回転した状態を示す斜視図である。
【図４】図１に示す携帯用端末機の第２ハウジングが若干開いた状態でその下面を示す斜視図である。
【図５】図１に示す携帯用端末機の第２ハウジングが若干開いた状態でその上面を示す斜視図である。
【図６】図１に示す携帯用端末機の第２ハウジングが第２ヒンジ軸を中心に１８０°回転した後、前記第１ハウジングに閉じた状態を示す斜視図である。
【図７】図１に示す携帯用端末機の第２ハウジングが第１ハウジングから完全に開いた状態で、回転型レンズハウジングの回転角度を受動で調節するための手段を一部切開した後面図である。
【図８】本発明の好適な第２実施形態による携帯用端末機の第２ハウジングが第１ハウジングに閉じた状態を示す斜視図である。
【図９】図８に示す携帯用端末機の第２ハウジングが第１ヒンジ軸を中心に第１ハウジングから完全に開いた状態を示す斜視図である。
【図１０】図８に示す携帯用端末機の第２ハウジングが第１ヒンジ軸を中心に第１ハウジングから完全開いた後面を示す斜視図である。
【図１１】図８に示す携帯用端末機の第２ハウジングが第２ヒンジ軸を中心に第１ハウジングに対して横方向に第１方向に９０°回転した状態を示す斜視図である。
【図１２】図８に示す携帯用端末機の第２ハウジングが第２ヒンジ軸を中心に第１ハウジングに対して横方向に第２方向に９０°回転した状態を示す斜視図である。
【図１３】図８に示す携帯用端末機のカメラレンズアセンブリを示す分離斜視図である。
【図１４】図１３に示す携帯用端末機のカメラレンズアセンブリを他の角度から見た分離斜視図である。
【図１５】図１３に示す携帯用端末機のカメラレンズアセンブリの組立てを説明するための図である。
【図１６】図８に示す携帯用端末機の他の実施形態によるカメラレンズアセンブリを示す分離斜視図である。
【図１７】図１６に示すカメラレンズアセンブリを拡大して示す分離斜視図である。
【図１８】図１６に示すカメラレンズアセンブリを示す組立て斜視図である。
【図１９】図１８に示すカメラレンズアセンブリにおいて第３ヒンジ軸に対して回転したカメラレンズハウジングを示す斜視図である。
【符号の説明】
【００６８】
１０  第１ハウジング
２０  第２ハウジング
３０  ヒンジハウジング
４０  回転型カメラレンズハウジング
４１  カメラレンズ
【図１】
2004320742.tif 000003
【図２】
2004320742.tif 000004
【図３】
2004320742.tif 000005
【図４】
2004320742.tif 000006
【図５】
2004320742.tif 000007
【図６】
2004320742.tif 000008
【図７】
2004320742.tif 000009
【図８】
2004320742.tif 000010
【図９】
2004320742.tif 000011
【図１０】
2004320742.tif 000012
【図１１】
2004320742.tif 000013
【図１２】
2004320742.tif 000014
【図１３】
2004320742.tif 000015
【図１４】
2004320742.tif 000016
【図１５】
2004320742.tif 000017
【図１６】
2004320742.tif 000018
【図１７】
2004320742.tif 000019
【図１８】
2004320742.tif 000020
【図１９】
2004320742.tif 000021